【事件の表示】
　商願２０１８−３８７６７拒絶査定不服審判事件について、次のとおり審決する。
【結　論】
　本件審判の請求は、成り立たない。
【理　由】
第１　本願商標
　本願商標は、「古渋」の文字を標準文字で表してなり、第２類に属する願書記載のとおりの商品を指定商品として、平成３０年３月２７日に登録出願、その後、指定商品については、原審における同年１２月２５日受付の手続補正書及び同３１年３月１２日受付の手続補正書並びに同月２８日受付の手続補正書により、第２類「柿渋を原料に用いた塗料」に補正されたものである。
第２　原査定の拒絶の理由の要旨
　原査定は、「本願商標は、『古渋』の文字を標準文字で表してなるところ、『古渋』は、古来より塗料や染料等として使用されてきた『柿渋』の製造において、相当程度熟成が進んだものを指す語であり、『柿渋』は、古くから木材等に塗る防水、防腐用の塗料として利用されてきたものであることが認められる。そうすると、本願商標をその指定商品中、『古渋と呼ばれる熟成が進んだ柿渋を使用した塗料』に使用するときは、これに接する取引者、需要者は、単に商品の品質を表示したものであると認識するにとどまる。したがって、本願商標は、商標法第３条第１項第３号に該当し、前記商品以外の商品に使用するときは、商品の品質の誤認を生ずるおそれがあるから、同法第４条第１項第１６号に該当する。」旨認定、判断し、本願を拒絶したものである。
第３　当審における証拠調べ
　当審において、本願商標が商標法第３条第１項第３号に該当するか否かについて、職権により証拠調べを実施した結果、別掲に示すとおりの事実を発見したので、請求人に対し令和２年１２月７日付けで証拠調べ通知書を通知し、相当の期間を指定して、意見を述べる機会を与えた。
第４　証拠調べ通知書に対する請求人の意見の要旨
　１　柿渋の熟成期間が異なれば、柿渋の品質は当然異なるところ、熟成期間が異なっていても同じ名称であるならば、熟成期間による品質上の差異がないことを示し、その名称は品質を表すものではない。証拠調べ通知書に記載の証拠においては、「古渋」について統一された説明ではなく様々な説明が勝手にされているにすぎず、文章中に存在しているにすぎないことから、「古渋」の文字は一義的に品質を表すものではない。
　２　証拠調べ通知書に記載の証拠においては、いずれも、「古渋」の用途が本願の指定商品の塗料である旨の明記がなく、「塗料」の品質表示の言葉として理解されていない。
　３　請求人における宣伝、広告は、主としてインターネットによるものであり、たまに、コラボ商品で実演・販売、雑誌などに載る時がある程度であるものの、塗料としての「柿渋」はニッチな商品分野であるため、この分野では広く知れ渡っている。請求人は、商品「柿渋」業界では最大手で、そのシェアは約５０％である。
　４　したがって、本願商標は、商標法第３条第１項第３号の規定に該当しない。仮に商標法第３条第１項第３号の規定に該当する場合でも、同条第２項の規定により登録を受けることができる。
第５　当審の判断
　１　商標法第３条第１項第３号該当性について
（１）商標法第３条第１項第３号について
　商標法第３条第１項第３号が、「その商品の産地，販売地，品質，原材料，効能，用途，形状（包装の形状を含む。），生産若しくは使用の方法若しくは時期その他の特徴，数量若しくは価格」を普通に用いられる方法で表示する標章のみからなる商標について商標登録を受けることができない旨規定しているのは、このような商標は、指定商品との関係で、その商品の産地、販売地、品質、形状その他の特性を表示記述する標章であって、取引に際し必要適切な表示として何人もその使用を欲するものであるから、特定人によるその独占使用を認めるのは公益上適当でないとともに、一般的に使用される標章であって、多くの場合自他商品識別力を欠くものであることによるものと解される。そうすると、本願商標が商標法第３条第１項第３号に該当するというためには、審決の時点において、本願商標が、その指定商品との関係で、その商品の産地、販売地、品質、形状その他の特性を表示記述するものとして取引に際し必要適切な表示であり、本願商標の指定商品の取引者及び需要者によって本願商標がその指定商品に使用された場合に、将来を含め、商品の上記特性を表示したものと一般に認識されるものであれば足りると解される（知財高裁平成２７年（行ケ）第１０１０７号，平成２７年１０月２１日判決参照）。
（２）本願商標の商標法第３条第１項第３号該当性について
　本願商標は、上記第１のとおり、「古渋」の文字を標準文字で表してなるところ、別掲の証拠調べ通知書の１（１）ないし（１０）において提示したとおり、柿渋をある程度の期間寝かせて熟成させたものを「古渋」と称している事実があり、原審において提示したインターネット記事によれば、「古渋」は、「柿渋を一定の期間寝かせたもの」といった意味合いで、柿渋の一つの種類を表すものであり、また、別掲の証拠調べ通知書の２において提示したとおり、「柿渋」は、木材等に塗る耐水、防腐、防虫用の塗料の原材料として用いられている事実が裏付けられるところである。
　そうすると、「古渋」の文字を、本願商標の指定商品「柿渋を原料に用いた塗料」に使用した場合、これに接する取引者、需要者は、その商品が「一定の期間寝かせた柿渋を原料に用いた塗料」、すなわち「古渋を原料に用いた塗料」であることを理解するものであり、商品の原材料や品質を表示したにすぎないものと認識すると判断するのが相当である。
　したがって、本願商標は、商品の原材料や品質を普通に用いられる方法で表示する標章のみからなる商標であって、自他商品の識別標識としての機能を果たし得ないものであるから、商標法第３条第１項第３号に該当する。
　２　本願商標の商標法第３条第２項該当性について
　請求人は、本願商標を商品「塗料」について使用しているのは請求人のみであり、請求人以外の者は誰一人として使用しておらず、請求人による使用の結果、商品「塗料」において、「古渋」が請求人の業務に係るものであることを認識できる旨主張し、甲第２５号証ないし甲第３５号証を提出している。また、請求人は主としてインターネットにより宣伝・広告を行い、たまにコラボ商品で実演・販売、雑誌などに載る時がある程度であるものの、塗料としての「柿渋」がニッチな商品分野であることから、請求人は、この分野では広く知れ渡っており、商品「柿渋」業界では最大手で、そのシェアは約５０％であるとし、本願商標は、商標法第３条第１項第３号に該当するとしても、同条第２項の規定により登録を受けることができる旨主張する。
　しかしながら、請求人が本願商標の指定商品に使用した商標の使用数量、使用期間及び使用地域等、また、商品の広告宣伝の期間、地域及び規模や商品の売上高を確認できる証拠の提出がないこと、また、市場シェアについて、その数字を裏付ける客観的な証拠の提出がないことから、本願商標が、請求人による使用の結果、請求人の出所を表示するものとして、需要者の間で全国的に認識されているということを客観的に判断することはできない。
　その他、本願商標が、需要者が何人かの業務に係る商品であることを認識することができるほどに使用されているものと認めるに足る証拠はない。
　そうすると、本願商標は、その指定商品に使用された結果、需要者が何人かの業務に係る商品であることを認識することができるに至ったものとは認められない。
　したがって、本願商標は、商標法第３条第２項の要件を具備するものではない。
　３　請求人の主張について
（１）請求人は、柿渋の熟成期間が異なれば、柿渋の品質は当然異なるところ、熟成期間が異なっていても同じ名称であるならば、熟成期間による品質上の差異がないことを示し、その名称は品質を表すものではない。証拠調べ通知書に記載の証拠においては、「古渋」について統一された説明ではなく様々な説明が勝手にされているにすぎず、文章中に存在しているにすぎないことから、「古渋」の文字は一義的に品質を表すものではない旨主張する。
　しかしながら、上記１（２）及び証拠調べ通知書の１において提示したとおり、熟成に要する期間を問わず、「柿渋を一定期間寝かせたもの」を「古渋」と称し、使用されている事実があることからすれば、「古渋」の文字は、取引者、需要者によって、柿渋の品質、特性を表示したものと一般に認識されるとみるのが相当である。
（２）請求人は、証拠調べ通知書に記載の証拠においては、いずれも、「古渋」の用途が本願の指定商品の塗料である旨の明記がなく、「塗料」の品質表示の言葉として理解されていない旨主張する。
　しかしながら、「柿渋」を一定期間寝かせたものが「古渋」と称されており、証拠調べ通知書の２において提示したとおり、その「柿渋」が塗料の原材料として用いられ、柿渋の塗料として一般に使用されていることからすれば、「古渋」の用途が本願の指定商品である塗料である旨の明記がないことをもって、「古渋」の文字が、本願商標の指定商品の原材料や品質を表すものとして認識されることを否定できるものではない。
　したがって、請求人の上記（１）及び（２）の主張は、いずれも採用できない。
　４　まとめ
　以上のとおり、本願商標は、商標法第３条第１項第３号に該当するものであって、かつ、同条第２項に規定する要件を具備するものではないから、登録することができない。
　よって、結論のとおり審決する。
別掲　証拠調べ通知書において示した事実
　１　「古渋」の語が、「柿渋を一定の期間寝かせたもの」といった意味合いで、柿渋の一つの種類を表すものとして用いられている事例（下線は合議体が付与。以下同じ。）
（１）「コトバンク」のウェブサイトにおける、「渋紙」の見出しの下、「日本大百科全書（ニッポニカ）の解説」の項に、「柿渋（かきしぶ）で加工した和紙。柿渋は古くは柿油ともいって、晩夏のころに青柿より絞り取る。この
生渋（なましぶ）を半年以上置くとさらに良質の古渋になる
（https://kotobank.jp/word/%E6%B8%8B%E7%B4%99-523159）
（２）「今井敬潤『ものと人間の文化史　１１５・柿渋（かきしぶ）』」（財団法人法政大学出版局、２００３年）の、１５８頁及び２２５頁において、「なお、型紙用に使う柿渋は、新渋（今年採ったばかりのもの）ではなく、
古渋（採ってから一年以上経ったもの）
二年以上貯蔵した古渋
古渋
（３）「住まいのすすめ」のウェブサイトにおいて、「柿渋（かきしぶ）」の見出しの下、「柿からつくる地産地消のエコ塗料に柿渋（かきじぶ）があります。柿に含まれるタンニンを主成分とする塗料です。・・・柿渋は柿の絞り汁をろ過し、加熱殺菌、自然発散させて後、１〜２年熟成させてタンニンが安定するのを待ちます。長く熟成させることで色が濃くなり、艶も増すため、
４〜５年寝かせたものは『古渋』
（https://ameblo.jp/matanosuke/entry-12535831293.html）
（４）「柿渋塗装の詳細」のウェブサイトにおいて、「建築用には古渋が一番よい（柿渋塗装の詳細）」の見出しの下、「熟成期間は製品によって様々ですが、
３年以上寝かせた柿渋は古渋
（http://kakisibu-tosou.seesaa.net/article/114590593.html）
（５）「社団法人日本工芸会」のウェブサイトにおいて、「柿渋（かきしぶ）」の見出しの下、「１　柿渋の製造」の項に、「柿渋製造については、京都府相楽郡和束町在住の岩本亀太郎・将稔さんにお話をうかがった。以下はその概要である。・・・
渋はタンクの中で１年も過ぎると茶褐色のいわゆる柿渋色に変化し、古渋として出荷可能
（https://www.nihon-kogeikai.com/SASAERU/SASAERU-101.html）
（６）「柿渋による木材への金属固着性の向上と防腐効力 - 奈良県森林技セ研報Ｎｏ．３３（２００４）」のＰＤＦにおいて、「１．はじめに」の項に、「渋柿から生産される
柿渋は、古くから清酒、漆器、漁網、和紙などの製造過程に使われ
清酒づくりには清澄剤（おり下げ剤）として、現在でも柿渋が使用
２年間発酵熟成した古渋
（http://www.nararinshi.pref.nara.jp/kenpou/no.33/no.33m.pdf）
（７）「日本塗装技術協会」のウェブサイトにおいて、「『実用塗装・塗料用語辞典』　サ行」の見出しの下、「渋」の項に、「ｐｅｒｓｉｍｍｏｎ−ｊｕｉｃｅ，ｓｉｂｕ　一般に柿渋のことをいい，タンニン性シブオールを含んだ液である。
保存年限によって新渋と古渋とがあり
（http://jcot.gr.jp/download/jituyotosou_toryo_yogojiten_sa.pdf）
（８）「長春堂」のウェブサイトにおいて、「柿渋　４年もの　玉渋　２リットル」の見出しの下、「商品説明」の項に、「じっくり寝かせた４年ものを玉渋と言い、最上級の柿渋です。表装の仮張りに又布の染色に安心の逸品です。ちなみに１年ものを新渋
３年もの古渋
（http://www.kakejiku.ne.jp/goods_catalog.php?grid=00030003gno=68）
（９）「ＩＫＫＡＮ２」のウェブサイトにおいて、「一閑張りと柿渋の話」の見出しの下、「柿渋の話」の項に、「柿渋の主成分はタンニン。渋みの正体です。渋ければ渋いほど原料としては高品質です。収穫された青柿から搾り取った汁を発酵させ、加熱殺菌のあと熟成させます。１年以上熟成させたものが柿渋となりますが、
３年〜５年熟成させたものを古渋
（http://www.asahi-net.or.jp/~bz4a-httr/durian/ikkan/kakisibu.html）
（１０）「Ｊｏｕｒｎａｌ２０１８１２｜ＨＬＦ」のウェブサイトにおいて、「マテリアルトリートメント」の見出しの下、「マテリアルトリートメントの導入」の項に、「今回、新たに試みたのは、 ＡＢＥ 木の総合学研究所『マテリアルトリートメント』。製材後、１，２ヶ月以内に醸造用最高品の
古渋を使った柿渋を塗布
（https://hlfjpn.com/journal/201812.html）
　２　塗料の原材料として柿渋が用いられ、柿渋の塗料として一般に使用されている事例
（１）「無臭柿渋商品詳細ぺージ | ターナー色彩株式会社 | ＴＵＲＮＥＲ　ＣＯＬＯＵＲ　ＷＯＲＫＳ　ＬＴＤ．」のウェブサイトにおいて、「無臭柿渋」の見出しの下、「有害な化学物質を含まない、１００％天然素材なのに”無臭”の柿渋です。
柿渋は
伝統的な天然塗料
（https://www.turner.co.jp/brand/%E7%84%A1%E8%87%AD%E6%9F%BF%E6%B8%8B/）
（２）「Ｓｕｍａｉ 日刊住まい」のウェブサイトにおいて、「
天然塗料『柿渋』
天然塗料『柿渋』
柿渋を塗りました
（https://sumaiweb.jp/articles/199875）
（３）「ｍａｋｉｔ（メキット）ｂｙ　ＤＩＹ　ＦＡＣＴＯＲＹ」のウェブサイトにおいて、「伝統のヴィンテージ加工！
柿渋塗料
家具や床などに使われていた塗料
渋柿を発酵させて作った塗料
（https://makit.jp/01413/）